(57)【要約】【課題】曲の区切りに同期して特定の画像を表示するスライドショーを実行できる画像表示方法、画像表示プログラム、当該画像表示プログラムを記録した記録媒体および画像表示装置を提供すること。【解決手段】画像表示装置の画像表示方法は、制御手段２１６に、１つ以上の音声ファイルを選択させる音声ファイル選択ステップと、音声ファイルごとに最初に表示する画像を選択させる始動画像選択ステップと、最初に表示する画像の後に表示する画像を１つ以上選択させる表示画像選択ステップと、選択された音声ファイルごとに再生する音声再生ステップと、音声ファイルの再生開始に伴って最初に表示する画像を表示する始動画像表示ステップと、後に表示する画像をそれぞれ表示する選択画像表示ステップとを実行させる。【選択図】  図２
2006343986.tif 000002
【特許請求の範囲】
【請求項１】
複数の画像ファイルを記憶した画像ファイル記憶手段と、前記画像ファイルに基づく画像を表示する画像表示手段と、少なくとも１つの音声ファイルを記憶した音声ファイル記憶手段と、前記音声ファイルに基づく音声を出力する音声出力手段と、装置全体を制御する制御手段とを備えた画像表示装置に用いられ、前記画像ファイルを表示する画像表示方法であって、
前記制御手段に、
前記音声ファイルのうち、少なくとも１つを選択させる音声ファイル選択ステップと、
前記複数の画像ファイルのうち、前記選択された音声ファイルごとに最初に表示する画像の画像ファイルを選択させる始動画像選択ステップと、
前記複数の画像ファイルのうち、前記最初に表示する画像の後に表示する画像の画像ファイルを少なくとも１つ選択させる表示画像選択ステップと、
前記選択された音声ファイルを、当該音声ファイルごとに再生する音声再生ステップと、
前記選択された音声ファイルごとに、当該音声ファイルの再生開始に伴って前記最初に表示する画像を表示する始動画像表示ステップと、
前記後に表示する画像をそれぞれ表示する選択画像表示ステップとを実行させることを特徴とする画像表示方法。
【請求項２】
請求項１に記載の画像表示方法において、
前記制御手段に、
前記音声ファイル選択ステップの後に、前記始動画像選択ステップおよび前記始動画像表示ステップを実行するか否かを選択させる始動設定選択ステップを実行させることを特徴とする画像表示方法。
【請求項３】
複数の画像ファイルを記憶した画像ファイル記憶手段と、前記画像ファイルに基づく画像を表示する画像表示手段と、少なくとも１つの音声ファイルを記憶した音声ファイル記憶手段と、前記音声ファイルに基づく音声を出力する音声出力手段と、装置全体を制御する制御手段とを備えた画像表示装置に用いられ、前記画像ファイルを表示する画像表示方法であって、
前記制御手段に、
前記音声ファイルのうち、少なくとも１つを選択させる音声ファイル選択ステップと、
前記複数の画像ファイルのうち、前記選択された音声ファイルごとに最後に表示する画像の画像ファイルを選択させる終了画像選択ステップと、
前記複数の画像ファイルのうち、前記最後に表示する画像の前に表示する画像の画像ファイルを少なくとも１つ選択させる表示画像選択ステップと、
前記選択された音声ファイルを、当該音声ファイルごとに再生する音声再生ステップと、
前記前に表示する画像をそれぞれ表示する選択画像表示ステップと、
前記音声再生ステップで再生される音声ファイルごとに、当該音声ファイルの再生終了間近で、前記最後に表示する画像を表示する終了画像表示ステップとを実行させることを特徴とする画像表示方法。
【請求項４】
請求項３に記載の画像表示方法において、
前記制御手段に、
前記選択画像表示ステップで表示される画像のそれぞれの表示時間を設定させる表示時間設定ステップと、
前記音声再生ステップで再生されるそれぞれの音声ファイルの再生時間を取得する音声再生時間取得ステップと、
前記選択画像表示ステップにてそれぞれの前記選択された音声ファイルの再生時に表示された画像の数に１を加算した値に前記表示時間を乗算した計算値が、前記再生時間以上であると、前記終了画像表示ステップを実行する時間判定ステップとを実行させることを特徴とする画像表示方法。
【請求項５】
請求項３または請求項４に記載の画像表示方法において、
前記制御手段に、
前記音声ファイル選択ステップの後に、前記終了画像選択ステップおよび前記終了画像表示ステップを実行するか否かを選択させる終了設定選択ステップを実行させることを特徴とする画像表示方法。
【請求項６】
請求項３から請求項５のいずれかに記載の画像表示方法において、
前記音声ファイル選択ステップで複数の音声ファイルが選択されると、
前記終了画像表示ステップは、前記選択画像表示ステップで次に表示する画像の画像ファイルを識別する情報を保持し、
前記選択画像表示ステップは、前記表示画像保持ステップで保持された情報に基づいて、次に表示する画像の画像ファイルを決定することを特徴とする画像表示方法。
【請求項７】
請求項１から請求項６のいずれかに記載の画像表示方法において、
前記制御手段に、
前記選択画像表示ステップにて表示される画像の表示切替効果を設定させる表示切替効果設定ステップを実行させることを特徴とする画像表示方法。
【請求項８】
請求項１から請求項７のいずれかに記載の画像表示方法において、
前記制御手段に、
前記表示画像選択ステップで選択された画像の表示形式を設定させる表示形式設定ステップを実行させることを特徴とする画像表示方法。
【請求項９】
複数の画像ファイルを記憶した画像ファイル記憶手段と、前記画像ファイルに基づく画像を表示する画像表示手段と、少なくとも１つの音声ファイルを記憶した音声ファイル記憶手段と、前記音声ファイルに基づく音声を出力する音声出力手段と、装置全体を制御する制御手段とを備えた画像表示装置に用いられ、前記画像ファイルを表示するために前記制御手段上で実行可能な画像表示プログラムであって、
前記制御手段に、
前記音声ファイルのうち、少なくとも１つを選択させる音声ファイル選択ステップと、
前記複数の画像ファイルのうち、前記選択された音声ファイルごとに最初に表示する画像の画像ファイルを選択させる始動画像選択ステップと、
前記複数の画像ファイルのうち、前記最初に表示する画像の後に表示する画像の画像ファイルを少なくとも１つ選択させる表示画像選択ステップと、
前記選択された音声ファイルを、当該音声ファイルごとに再生する音声再生ステップと、
前記選択された音声ファイルごとに、当該音声ファイルの再生開始に伴って前記最初に表示する画像を表示する始動画像表示ステップと、
前記後に表示する画像をそれぞれ表示する選択画像表示ステップとを実行させることを特徴とする画像表示プログラム。
【請求項１０】
複数の画像ファイルを記憶した画像ファイル記憶手段と、前記画像ファイルに基づく画像を表示する画像表示手段と、少なくとも１つの音声ファイルを記憶した音声ファイル記憶手段と、前記音声ファイルに基づく音声を出力する音声出力手段と、装置全体を制御する制御手段とを備えた画像表示装置に用いられ、前記画像ファイルを表示するために前記制御手段上で実行可能な画像表示プログラムであって、
前記制御手段に、
前記音声ファイルのうち、少なくとも１つを選択させる音声ファイル選択ステップと、
前記複数の画像ファイルのうち、前記選択された音声ファイルごとに最後に表示する画像の画像ファイルを選択させる終了画像選択ステップと、
前記複数の画像ファイルのうち、前記最後に表示する画像の前に表示する画像の画像ファイルを少なくとも１つ選択させる表示画像選択ステップと、
前記選択された音声ファイルを、当該音声ファイルごとに再生する音声再生ステップと、
前記前に表示する画像をそれぞれ表示する選択画像表示ステップと、
前記音声再生ステップで再生される音声ファイルごとに、当該音声ファイルの再生終了間近で、前記最後に表示する画像を表示する終了画像表示ステップとを実行させることを特徴とする画像表示プログラム。
【請求項１１】
請求項１０または請求項１１に記載の画像表示プログラムをコンピュータ読み取り可能に記録したことを特徴とする記録媒体。
【請求項１２】
複数の画像ファイルを記憶した画像ファイル記憶手段と、前記画像ファイルに基づく画像を表示する画像表示手段と、少なくとも１つの音声ファイルを記憶した音声ファイル記憶手段と、前記音声ファイルに基づく音声を出力する音声出力手段と、装置全体を制御する制御手段とを備えた画像表示装置であって、
前記制御手段は、
前記音声ファイルのうち、少なくとも１つを選択させる音声ファイル選択部と、
前記複数の画像ファイルのうち、前記選択された音声ファイルごとに最初に表示する画像の画像ファイルを選択させる始動画像選択部と、
前記複数の画像ファイルのうち、前記最初に表示する画像の後に表示する画像の画像ファイルを少なくとも１つ選択させる表示画像選択部と、
前記選択された音声ファイルを、当該音声ファイルごとに再生する音声再生部と、
前記選択された音声ファイルごとに、当該音声ファイルの再生開始に伴って前記最初に表示する画像を表示する始動画像表示部と、
前記後に表示する画像をそれぞれ表示する選択画像表示部とを備えることを特徴とする画像表示装置。
【請求項１３】
複数の画像ファイルを記憶した画像ファイル記憶手段と、前記画像ファイルに基づく画像を表示する画像表示手段と、少なくとも１つの音声ファイルを記憶した音声ファイル記憶手段と、前記音声ファイルに基づく音声を出力する音声出力手段と、装置全体を制御する制御手段とを備えた画像表示装置であって、
前記制御手段は、
前記音声ファイルのうち、少なくとも１つを選択させる音声ファイル選択部と、
前記複数の画像ファイルのうち、前記選択された音声ファイルごとに最後に表示する画像の画像ファイルを選択させる終了画像選択部と、
前記複数の画像ファイルのうち、前記最後に表示する画像の前に表示する画像の画像ファイルを少なくとも１つ選択させる表示画像選択部と、
前記選択された音声ファイルを、当該音声ファイルごとに再生する音声再生部と、
前記前に表示する画像をそれぞれ表示する選択画像表示部と、
前記音声再生ステップで再生される音声ファイルごとに、当該音声ファイルの再生終了間近で、前記最後に表示する画像を表示する終了画像表示部とを備えることを特徴とする画像表示装置。
【発明の詳細な説明】
【技術分野】
【０００１】
本発明は、画像ファイルに含まれる画像情報に基づく画像を表示する画像表示手段と、少なくとも１つの音声ファイルに含まれる音声情報に基づく音声を出力する音声出力手段と、装置全体を制御する制御手段とを備えた画像表示装置、画像ファイルを表示する画像表示方法、画像表示プログラム、および、当該画像表示プログラムを記録した記録媒体に関する。
【背景技術】
【０００２】
従来、ＨＤＤ（Hard Disk Drive）等の記憶装置およびメモリカードから画像ファイルを読み込んで、当該画像ファイルに含まれる画像情報に基づく画像を表示可能に構成された画像表示装置が知られている。また、画像表示だけでなく音声を出力可能に構成された画像表示装置が知られている。このような画像表示装置は、企業の来客スペースや公共スペース等に設置されることが多く、当該画像表示装置が設置された場を和らげる用途に用いられることがある。
【０００３】
ここで、使用者が選択した複数の画像ファイルに基づく画像を画像表示装置上で表示する際に、当該選択された複数の画像ファイルを自動的にそれぞれ再生表示するスライドショーという機能が利用される場合が多い。このスライドショー機能は、画像表示装置の制御装置に組み込まれている場合があり、また、ＰＣ（Personal Computer）等でスライドショーを実行させるプログラムとして記憶されている場合もある。
【０００４】
このようなスライドショーを実行させるプログラムとして、例えば、音声ファイル（楽曲音声データ）と同期して、複数の画像ファイル（画像データ）に基づく画像を表示するスライドショー実行プログラムが知られている（例えば、特許文献１参照）。
この特許文献１に記載のスライドショー実行プログラムは、音声ファイルおよび画像ファイルと合わせて記録媒体に記録されており、コンピュータが当該記録媒体からスライドショー実行プログラムを読み込んで実行することによりスライドショーが実行され、当該コンピュータに接続された画像表示装置上に画像が展開される。この際、選択されて記録された音声ファイルの総時間から、選択されて記録されたそれぞれの画像ファイルの表示時間が決定され、当該音声ファイルの再生に伴って各画像ファイルが再生表示される。
これによれば、画像と音声との一体感を生じさせることができ、スライドショーの効果を高めることができる。
【０００５】
【特許文献１】特開２００３−２８８０９４号公報
【発明の開示】
【発明が解決しようとする課題】
【０００６】
しかしながら、特許文献１に記載のスライドショー実行プログラムでは、曲等の複数の音声ファイルが選択されている場合、当該音声ファイルの区切りに応じた画像表示を、簡易に行うことができないという問題がある。
すなわち、複数の音声ファイルおよび複数の画像ファイルからスライドショーが構成され、それぞれの音声ファイルの区切りに応じて特定の画像を表示させようとした場合、表示しようとする画像の数、各画像の表示時間、および、再生するそれぞれの音声ファイルの長さ等から計算して、それぞれの音声ファイルの区切りのタイミングで特定の画像を割り込ませて表示させるように、画像の表示順を組み換える必要がある。このため、このようなスライドショーを実行するまでに使用者に多大な労力を強いるという問題がある。
【０００７】
本発明の目的は、曲の区切りに同期して特定の画像を表示するスライドショーを実行できる画像表示方法、画像表示プログラム、当該画像表示プログラムを記録した記録媒体および画像表示装置を提供することである。
【課題を解決するための手段】
【０００８】
前記した目的を達成するために、本発明の画像表示方法は、複数の画像ファイルを記憶した画像ファイル記憶手段と、前記画像ファイルに基づく画像を表示する画像表示手段と、少なくとも１つの音声ファイルを記憶した音声ファイル記憶手段と、前記音声ファイルに基づく音声を出力する音声出力手段と、装置全体を制御する制御手段とを備えた画像表示装置に用いられ、前記画像ファイルを表示する画像表示方法であって、前記制御手段に、前記音声ファイルのうち、少なくとも１つを選択させる音声ファイル選択ステップと、前記複数の画像ファイルのうち、前記選択された音声ファイルごとに最初に表示する画像の画像ファイルを選択させる始動画像選択ステップと、前記複数の画像ファイルのうち、前記最初に表示する画像の後に表示する画像の画像ファイルを少なくとも１つ選択させる表示画像選択ステップと、前記選択された音声ファイルを、当該音声ファイルごとに再生する音声再生ステップと、前記選択された音声ファイルごとに、当該音声ファイルの再生開始に伴って前記最初に表示する画像を表示する始動画像表示ステップと、前記後に表示する画像をそれぞれ表示する選択画像表示ステップとを実行させることを特徴とする。
【０００９】
本発明によれば、選択した音声ファイルのそれぞれの再生開始に伴って、使用者が選択した画像を表示することができる。
すなわち、音声ファイル選択ステップで、音声ファイル記憶手段に記憶された音声ファイルのうち、少なくとも１つが選択され、始動画像選択ステップおよび表示画像選択ステップで、画像ファイル記憶手段に記憶された画像ファイルのうち、選択された音声ファイルの再生に伴って最初に表示される画像の画像ファイル、および、当該最初に表示される画像の後に表示される画像の画像ファイルが選択される。そして、選択された音声ファイルは、それぞれ音声再生ステップで再生され、それぞれの音声ファイルの再生開始に伴って、始動画像選択ステップで選択された画像が表示される。この始動画像再生ステップの後、表示画像選択ステップで選択された画像が選択画像表示ステップで表示される。
これによれば、選択されたそれぞれの音声ファイルの再生に伴って、使用者が選択した画像が表示されることとなるので、スライドショーのタイトル、企業のロゴおよび特定のＰＲ画像等を表示することができる。従って、曲の区切りに応答するように、使用者が設定した画像を表示することができる。
【００１０】
本発明では、前記制御手段に、前記音声ファイル選択ステップの後に、前記始動画像選択ステップおよび前記始動画像表示ステップを実行するか否かを選択させる始動設定選択ステップを実行させることが好ましい。
本発明によれば、それぞれの音声ファイルの再生に伴って、最初に表示される画像を使用者が特定するか否かを選択することができる。従って、スライドショーで表示される画像およびスライドショーの形式における使用者の選択範囲を広げることができる。
【００１１】
また、本発明の画像表示方法は、複数の画像ファイルを記憶した画像ファイル記憶手段と、前記画像ファイルに基づく画像を表示する画像表示手段と、少なくとも１つの音声ファイルを記憶した音声ファイル記憶手段と、前記音声ファイルに基づく音声を出力する音声出力手段と、装置全体を制御する制御手段とを備えた画像表示装置に用いられ、前記画像ファイルを表示する画像表示方法であって、前記制御手段に、前記音声ファイルのうち、少なくとも１つを選択させる音声ファイル選択ステップと、前記複数の画像ファイルのうち、前記選択された音声ファイルごとに最後に表示する画像の画像ファイルを選択させる終了画像選択ステップと、前記複数の画像ファイルのうち、前記最後に表示する画像の前に表示する画像の画像ファイルを少なくとも１つ選択させる表示画像選択ステップと、前記選択された音声ファイルを、当該音声ファイルごとに再生する音声再生ステップと、前記前に表示する画像をそれぞれ表示する選択画像表示ステップと、前記音声再生ステップで再生される音声ファイルごとに、当該音声ファイルの再生終了間近で、前記最後に表示する画像を表示する終了画像表示ステップとを実行させることを特徴とする。
【００１２】
本発明によれば、選択された音声ファイルのそれぞれの再生終了間近で、使用者が選択した画像を表示することができる。
すなわち、音声ファイル選択ステップで、音声ファイル記憶手段に記憶された音声ファイルから少なくとも１つが選択される。そして、終了画像選択ステップと表示画像選択ステップとにより、画像ファイル記憶手段に記憶された画像ファイルから、選択された音声ファイルのそれぞれの再生終了間近で表示される画像と、選択された音声ファイルの再生に伴って表示され、当該音声ファイルの再生終了間近までそれぞれ表示される画像ファイルが選択される。この後、音声再生ステップで、選択された音声ファイルが再生され、当該音声ファイルの再生に伴って、表示画像選択ステップで選択された画像が、選択画像表示ステップでそれぞれ表示される。そして、再生中に音声ファイルの終了間近に、終了画像選択ステップで選択された画像が、終了画像表示ステップで表示される。
これによれば、選択された音声ファイルのそれぞれの再生終了間近で、使用者が選択した画像が表示されることとなるので、スライドショーの終了画像、企業のロゴおよび特定のＰＲ画像等を表示することができる。従って、曲の区切りに応答するように、使用者が設定した画像を表示することができる。
【００１３】
本発明では、前記制御手段に、前記選択画像表示ステップで表示される画像のそれぞれの表示時間を設定させる表示時間設定ステップと、前記音声再生ステップで再生されるそれぞれの音声ファイルの再生時間を取得する音声再生時間取得ステップと、前記選択画像表示ステップにてそれぞれの前記選択された音声ファイルの再生時に表示された画像の数に１を加算した値に前記表示時間を乗算した計算値が、前記再生時間以上であると、前記終了画像表示ステップを実行する時間判定ステップとを実行させることが好ましい。
【００１４】
本発明によれば、１つの音声ファイルの再生時に表示された画像の数に１を加算した値に、表示時間設定ステップで設定された各画像の表示時間を乗算した計算値と、音声再生時間取得ステップで取得された当該１つの音声ファイルの再生時間とが、時間判定ステップで比較される。そして、当該計算値が再生時間以上である場合に、終了画像選択ステップで選択された画像が、終了画像表示ステップで表示される。
これによれば、それぞれの音声ファイルの再生終了間近で、選択された終了画像を確実に表示することができる。
すなわち、表示画像選択ステップで選択されたそれぞれの画像は、それぞれの音声ファイルの再生時間を越えない範囲で表示され、当該選択された画像のうちの１つの画像を表示し切らない、音声ファイルの再生終了間近の時間に、終了画像選択ステップで選択された終了画像が表示されることとなる。従って、１つの音声ファイルの再生終了間近で、終了画像を表示する時間を確保することができるので、選択された終了画像を確実に表示することができる。
【００１５】
本発明では、前記制御手段に、前記音声ファイル選択ステップの後に、前記終了画像選択ステップおよび前記終了画像表示ステップを実行するか否かを選択させる終了設定選択ステップを実行させることが好ましい。
本発明によれば、それぞれの音声ファイルの再生終了間近に表示される画像を使用者が特定するか否かを選択することができる。従って、スライドショーで表示される画像およびスライドショーの形式における使用者の選択範囲を広げることができる。
【００１６】
本発明では、前記音声ファイル選択ステップで複数の音声ファイルが選択されると、前記終了画像表示ステップは、前記選択画像表示ステップで次に表示する画像の画像ファイルを識別する情報を保持し、前記選択画像表示ステップは、前記表示画像保持ステップで保持された情報に基づいて、次に表示する画像の画像ファイルを決定することが好ましい。
本発明によれば、音声ファイル選択ステップで複数の音声ファイルが選択された場合に、次の音声ファイルの再生時に誤り無くそれぞれの画像を表示することができる。
すなわち、終了画像表示ステップで、当該終了画像の前に表示された画像の次に設定され、次の音声ファイルの再生時に表示すべき画像の識別情報が保持されるので、直前に表示された画像や１つ先の画像が、次の音声ファイルの再生時に表示されることを防ぐことができる。従って、表示画像選択ステップで選択され、選択画像表示ステップで表示される画像を誤り無く表示することができる。
【００１７】
本発明では、前記制御手段に、前記選択画像表示ステップにて表示される画像の表示切替効果を設定させる表示切替効果設定ステップを実行させることが好ましい。
このような表示効果としては、αブレンディングや、スクロール等を例示することができる。
本発明によれば、単調な画像表示を防ぐことができ、音声再生とともに、一層使用者が飽きにくいスライドショーを構成することができる。また、再生する音声の種類に合った表示切替効果を設定することができ、音声と画像との一体感を一層高めることができる。
【００１８】
本発明では、前記制御手段に、前記表示画像選択ステップで選択された画像の表示形式を設定させる表示形式設定ステップを実行させることが好ましい。
このような表示形式としては、選択された画像をランダムに表示するランダム表示、および、ファイル名の降順または昇順等の所定の順序で表示する順次表示を例示することができる。
本発明によれば、所定の表示形式を設定することにより、前記選択画像表示ステップにて表示される画像のそれぞれの表示順を使用者が設定する手間を軽減することができる。従って、スライドショーの作成を一層簡易に行うことができる。
【００１９】
また、本発明の画像表示プログラムは、複数の画像ファイルを記憶した画像ファイル記憶手段と、前記画像ファイルに基づく画像を表示する画像表示手段と、少なくとも１つの音声ファイルを記憶した音声ファイル記憶手段と、前記音声ファイルに基づく音声を出力する音声出力手段と、装置全体を制御する制御手段とを備えた画像表示装置に用いられ、前記画像ファイルを表示するために前記制御手段上で実行可能な画像表示プログラムであって、前記制御手段に、前記音声ファイルのうち、少なくとも１つを選択させる音声ファイル選択ステップと、前記複数の画像ファイルのうち、前記選択された音声ファイルごとに最初に表示する画像の画像ファイルを選択させる始動画像選択ステップと、前記複数の画像ファイルのうち、前記最初に表示する画像の後に表示する画像の画像ファイルを少なくとも１つ選択させる表示画像選択ステップと、前記選択された音声ファイルを、当該音声ファイルごとに再生する音声再生ステップと、前記選択された音声ファイルごとに、当該音声ファイルの再生開始に伴って前記最初に表示する画像を表示する始動画像表示ステップと、前記後に表示する画像をそれぞれ表示する選択画像表示ステップとを実行させることを特徴とする。
【００２０】
本発明によれば、それぞれの音声ファイルの再生開始に伴って、使用者が選択した画像を表示する前述の画像表示方法と同様の効果を奏することができる。
すなわち、音声ファイル選択ステップで選択されたそれぞれの音声ファイルの再生開始に伴って、始動画像選択ステップで選択された画像が、始動画像表示ステップで表示された後、表示画像選択ステップで選択された画像が、選択画像表示ステップで表示される。これによれば、選択されたそれぞれの音声ファイルが再生される毎に、使用者が選択した画像を最初に表示することができる。従って、音声ファイルごとの区切りに応じて使用者が設定した画像を表示するスライドショーを簡易に作成することができる。
【００２１】
また、本発明の画像表示プログラムは、複数の画像ファイルを記憶した画像ファイル記憶手段と、前記画像ファイルに基づく画像を表示する画像表示手段と、少なくとも１つの音声ファイルを記憶した音声ファイル記憶手段と、前記音声ファイルに基づく音声を出力する音声出力手段と、装置全体を制御する制御手段とを備えた画像表示装置に用いられ、前記画像ファイルを表示するために前記制御手段上で実行可能な画像表示プログラムであって、前記制御手段に、前記音声ファイルのうち、少なくとも１つを選択させる音声ファイル選択ステップと、前記複数の画像ファイルのうち、前記選択された音声ファイルごとに最後に表示する画像の画像ファイルを選択させる終了画像選択ステップと、前記複数の画像ファイルのうち、前記最後に表示する画像の前に表示する画像の画像ファイルを少なくとも１つ選択させる表示画像選択ステップと、前記選択された音声ファイルを、当該音声ファイルごとに再生する音声再生ステップと、前記前に表示する画像をそれぞれ表示する選択画像表示ステップと、前記音声再生ステップで再生される音声ファイルごとに、当該音声ファイルの再生終了間近で、前記最後に表示する画像を表示する終了画像表示ステップとを実行させることを特徴とする。
【００２２】
本発明によれば、それぞれの音声ファイルの再生終了間近で、使用者が選択した画像を表示する前述の画像表示方法と同様の効果を奏することができる。
すなわち、音声ファイル選択ステップで選択されたそれぞれの音声ファイルの再生時に、選択された画像が選択画像表示ステップで表示され、当該音声ファイルの再生終了間近で、終了画像選択ステップで選択された画像が、終了画像表示ステップで表示される。これによれば、選択されたそれぞれの音声ファイルの再生終了間近で、使用者が選択した画像を表示することができる。従って、音声ファイルごとの区切りに応じて使用者が設定した画像を表示するスライドショーを簡易に作成することができる。
【００２３】
また、本発明の記録媒体は、前述の画像表示プログラムをコンピュータ読み取り可能に記録したことを特徴とする。
本発明によれば、記録媒体にコンピュータ読取可能に記録された画像表示プログラムを実行することで、前述のような音声ファイルの再生開始または再生終了間近に、使用者が選択した画像を表示可能なスライドショーを簡易に構成することができる。また、記録媒体として、ＤＡＴ（Digital Audio Tape）等の磁気テープ、ＦＤ（Flexible Disc）等の磁気ディスク、ＣＤ（Compact Disc）およびＤＶＤ（Digital Versatile Disc）等の光ディスク、光磁気ディスク、ハードディスク装置、および、半導体メモリ等を用いることができ、これらを利用して、画像表示プログラムをインストール、実行および配布することができる。
【００２４】
また、本発明の画像表示装置は、複数の画像ファイルを記憶した画像ファイル記憶手段と、前記画像ファイルに基づく画像を表示する画像表示手段と、少なくとも１つの音声ファイルを記憶した音声ファイル記憶手段と、前記音声ファイルに基づく音声を出力する音声出力手段と、装置全体を制御する制御手段とを備えた画像表示装置であって、前記制御手段は、前記音声ファイルのうち、少なくとも１つを選択させる音声ファイル選択部と、前記複数の画像ファイルのうち、前記選択された音声ファイルごとに最初に表示する画像の画像ファイルを選択させる始動画像選択部と、前記複数の画像ファイルのうち、前記最初に表示する画像の後に表示する画像の画像ファイルを少なくとも１つ選択させる表示画像選択部と、前記選択された音声ファイルを、当該音声ファイルごとに再生する音声再生部と、前記選択された音声ファイルごとに、当該音声ファイルの再生開始に伴って前記最初に表示する画像を表示する始動画像表示部と、前記後に表示する画像をそれぞれ表示する選択画像表示部とを備えることを特徴とする。
【００２５】
本発明によれば、それぞれの音声ファイルの再生開始に伴って、使用者が選択した画像を表示する前述の画像表示方法および画像表示プログラムと同様の効果を奏することができる。
すなわち、音声ファイル選択部で選択されたそれぞれの音声ファイルの再生開始に伴って、始動画像選択部で選択された画像が最初に表示され、この後、表示画像選択部で選択された画像がそれぞれ表示される。これによれば、それぞれの音声ファイルの再生開始に伴って、使用者が選択した画像を最初に表示することができるので、音声ファイルの区切りに応じて特定の画像を表示するスライドショーを簡易に作成することができる。
【００２６】
また、本発明の画像表示装置は、複数の画像ファイルを記憶した画像ファイル記憶手段と、前記画像ファイルに基づく画像を表示する画像表示手段と、少なくとも１つの音声ファイルを記憶した音声ファイル記憶手段と、前記音声ファイルに基づく音声を出力する音声出力手段と、装置全体を制御する制御手段とを備えた画像表示装置であって、前記制御手段は、前記音声ファイルのうち、少なくとも１つを選択させる音声ファイル選択部と、前記複数の画像ファイルのうち、前記選択された音声ファイルごとに最後に表示する画像の画像ファイルを選択させる終了画像選択部と、前記複数の画像ファイルのうち、前記最後に表示する画像の前に表示する画像の画像ファイルを少なくとも１つ選択させる表示画像選択部と、前記選択された音声ファイルを、当該音声ファイルごとに再生する音声再生部と、前記前に表示する画像をそれぞれ表示する選択画像表示部と、前記音声再生ステップで再生される音声ファイルごとに、当該音声ファイルの再生終了間近で、前記最後に表示する画像を表示する終了画像表示部とを備えることを特徴とする。
【００２７】
本発明によれば、それぞれの音声ファイルの再生終了間近で、使用者が選択した画像を表示する前述の画像表示方法および画像表示プログラムと同様の効果を奏することができる。
すなわち、音声ファイルの再生とともに、使用者により選択された画像を表示するスライドショーにおいて、それぞれの音声ファイルの再生終了間近で、終了画像選択ステップで選択された画像を表示することができる。従って、音声ファイルごとの区切りに応じて使用者が設定した画像を表示可能なスライドショーを簡易に作成することができる。
【発明を実施するための最良の形態】
【００２８】
以下、本発明の一実施形態を図面に基づいて説明する。
（１）画像表示装置１の構成
図１は、本実施形態に係る画像表示装置１の構成を示すブロック図である。
本実施形態の画像表示装置１は、入力する画像ファイルおよび音声ファイルに基づく画像／音声を表示／出力するものである。この画像表示装置１は、図１に示すように、表示装置本体２およびリモートコントローラ（以下、「リモコン」と略す場合がある）３を備えて構成されている。
このうち、リモコン３は、詳しい図示を省略するが、複数のキーを備え、当該キーの入力に応じた赤外線信号を表示装置本体２に出力するように構成されている。具体的に、リモコン３には、後述するスライドショー作成処理ＳＡおよびスライドショー実行処理ＳＢ等で表示される選択画面の項目を選択する上下左右のカーソルキー、項目を確定する確定キー、および、項目をキャンセルするキャンセルキー等が設けられている。
【００２９】
表示装置本体２は、当該表示装置本体２に設けられたＨＤＤ（Hard Disk Drive）および外部メディアであるメモリカード４に記憶された画像ファイルを読み込んで、当該画像ファイルに含まれる画像情報に基づく画像を表示する。また、この画像表示装置１は、当該ＨＤＤおよびメモリカード４に記憶された音声ファイルを読み込んで、当該音声ファイルに含まれる音声情報に基づく音声を出力可能に構成されている。
この表示装置本体２は、制御基板２１と、当該制御基板２１に電気的に接続される画像表示部２２、スピーカ２３、操作パネル２４、リモコンインターフェース（リモコンＩＦ）２５、カードスロット２６およびＨＤＤ２７とを備えて構成されている。
【００３０】
このうち、画像表示部２２は、本発明の画像表示手段に相当し、液晶パネルを備えて構成されている。この画像表示部２２は、制御基板２１の後述する液晶駆動回路２１５により駆動が制御され、表示する画像を形成する。
スピーカ２３は、本発明の音声出力手段に相当し、制御基板２１の後述する音声処理回路から入力する音声情報に基づく音声を出力する。
【００３１】
操作パネル２４、リモコンインターフェース２５、カードスロット２６およびＨＤＤ２７は、制御基板２１の後述するシステムコントローラ２１１に接続されている。
このうち、操作パネル２４は、詳しい図示を省略するが、表示装置本体２の外面に露出して設けられ、当該操作パネル２４には、リモコン３に設けられたキーと同様の複数のキーが配設されている。そして、操作パネル２４は、それぞれのキーの入力に応じた制御信号をシステムコントローラ２１１に出力する。
リモコンインターフェース２５は、詳しい図示を省略するが、受光部および受光モジュールから構成され、リモコン３からの赤外線信号を受信して、当該赤外線信号を内部処理可能な制御信号にデジタル変換するものである。この変換された制御信号は、リモコンインターフェース２５から制御基板２１のシステムコントローラ２１１に出力される。
【００３２】
カードスロット２６は、詳しい図示を省略するが、表示装置本体２の外面に露出して設けられ、メモリカード４が挿抜自在に構成されている。このカードスロット２６は、メモリカード４のカードリーダ／ライタの機能を備え、システムコントローラ２１１の制御下で、メモリカード４に記憶された画像ファイルおよび音声ファイル等の読み込み、および、メモリカード４に対する画像ファイルおよび音声ファイル等の書き込みを行う。すなわち、カードスロット２６は、メモリカード４と合わせて、本発明の画像ファイル記憶手段および音声ファイル記憶手段に相当する。
ＨＤＤ２７は、本発明の画像ファイル記憶手段および音声ファイル記憶手段に相当し、表示装置本体２の内部に設けられている。このＨＤＤ２７は、システムコントローラ２１１の制御下で、記憶された画像ファイルおよび音声ファイル等の読込み、および、画像ファイルおよび音声ファイル等の記憶を行う。
【００３３】
（２）制御基板２１の構成
制御基板２１は、表示装置本体２の装置全体を制御する回路基板として構成され、本発明の制御手段に相当する。
この制御基板２１は、システムコントローラ２１１、ファイルデコーダ２１２、音声処理回路２１３、画像処理回路２１４、液晶駆動回路２１５、制御回路２１６、ＲＯＭ２１７およびＲＡＭ２１８を備え、これらがバスＢｕで接続されて構成されている。
このうち、ＲＯＭ２１７は、フラッシュメモリで構成され、後述する制御回路２１６で処理されるプログラムや各種データが記憶されている。また、ＲＡＭ２１８は、ＲＯＭ２１７のプログラムやデータが制御回路２１６で処理される際に、当該プログラムおよびデータの一部または全部が、一時的に記憶される。
【００３４】
システムコントローラ２１１は、後述する制御回路２１６の処理を補助するとともに、制御基板２１に対する情報および信号の入出力制御を行う。具体的に、システムコントローラ２１１は、操作パネル２４およびリモコンインターフェース２５からの制御信号を制御回路２１６に出力する。また、システムコントローラ２１１は、制御回路２１６から制御信号が入力すると、カードスロット２６に装着されたメモリカード４およびＨＤＤ２７に記憶されたファイルのデータを読み出して、当該制御信号に示された出力先に出力する。
【００３５】
ファイルデコーダ２１２は、システムコントローラ２１１から入力する画像ファイルおよび音声ファイルのデコードを行う。このファイルデコーダ２１２によってデコードされた音声ファイルの音声情報は、音声処理回路２１３に出力され、デコードされた画像ファイルの画像情報は、画像処理回路２１４に出力される。
音声処理回路２１３は、ファイルデコーダ２１２でデコードされた音声情報を処理して、スピーカ２３に出力する。具体的に、音声処理回路２１３は、信号増幅等の処理を行って出力音量を増減させたり、また、音響効果処理を実行したりする。
すなわち、ファイルデコーダ２１２および音声処理回路２１３は、本発明の音声再生部に相当する。
【００３６】
画像処理回路２１４は、ファイルデコーダ２１２から入力する画像情報を処理して、当該画像情報を液晶駆動回路２１５に出力する。また、画像処理回路２１４は、ＲＯＭ２１７に記憶された画像テンプレートを参照して、当該画像テンプレートを基として後述するスライドショー作成処理ＳＡにおいて各種選択画面を形成し、当該選択画面の画像情報を液晶駆動回路２１５に出力する。
また、液晶駆動回路２１５は、画像処理回路２１４から入力する画像情報に基づいて画像表示部２２の液晶パネルを駆動して、当該画像情報に応じた画像を形成する。
【００３７】
図２は、画像処理回路２１４の機能構成を示すブロック図である。
画像処理回路２１４は、図２に示すように、信号検出部２１４１、描画処理部２１４２、画像情報処理部２１４３および画像合成部２１４４を機能的に備えている。
信号検出部２１４１は、制御回路２１６からの制御信号を検出する。具体的に、信号検出部２１４１は、制御回路２１６から入力する制御信号を検出すると、当該制御信号の種別を判定して、当該種別に応じた制御信号を描画処理部２１４２および画像情報処理部２１４３に出力する。
例えば、後述するスライドショー作成処理ＳＡにおいて、制御回路２１６から選択画面形成に係る制御信号が信号検出部２１４１に入力した場合、当該信号検出部２１４１は、描画処理部２１４２に当該選択画面を形成させる制御信号を出力する。また、スライドショー実行処理ＳＢにおいて、制御回路２１６からスライドショーを実行する制御信号が信号検出部２１４１に入力した場合、当該信号検出部２１４１は、画像情報処理部２１４３にファイルデコーダ２１２から入力する画像情報を処理する制御信号を出力する。
【００３８】
描画処理部２１４２は、主に、後述するスライドショー作成処理ＳＡで画像表示部２２に表示される選択画面等の画像情報を生成する。この描画処理部２１４２は、音声ファイル選択画面生成部２１４２１、始動画像選択画面生成部２１４２２、終了画像選択画面生成部２１４２３、表示画像選択画面生成部２１４２４、単位表示時間入力画面生成部２１４２５、表示効果選択画面生成部２１４２６、繰返し表示選択画面生成部２１４２７および確認画面生成部２１４２８を備えている。
音声ファイル選択画面生成部２１４２１は、ＲＯＭ２１７に記憶されたテンプレート画像を基として、システムコントローラ２１１から入力するメモリカード４およびＨＤＤ２７に記憶された音声ファイルのアイコンおよびファイル名を列挙して、当該音声ファイルからスライドショーを実行する際に再生する音声ファイルを選択させる音声ファイル選択画面を生成する。すなわち、音声ファイル選択画面生成部２１４２１は、本発明の音声ファイル選択部に相当する。
なお、この音声ファイル選択画面で選択された音声ファイルは、制御回路２１６により判別され、当該音声ファイルのファイル名等は、制御回路２１６によってＲＯＭ２１７に記憶される。
【００３９】
始動画像選択画面生成部２１４２２、終了画像選択画面生成部２１４２３および表示画像選択画面生成部２１４２４は、ＲＯＭ２１７に記憶されたテンプレート画像を基として、システムコントローラ２１１から入力するメモリカード４およびＨＤＤ２７に記憶された画像ファイルのサムネイルおよびファイル名を列挙して、それぞれ始動画像、終了画像、およびスライドショー表示する表示画像を選択させる始動画像選択画面、終了画像選択画面および表示画像選択画面を生成する。すなわち、始動画像選択画面生成部２１４２２、終了画像選択画面生成部２１４２３および表示画像選択画面生成部２１４２４は、それぞれ本発明の始動画像選択部、終了画像選択部および表示画像選択部に相当する。
なお、これら始動画像選択画面、終了画像選択画面および表示画像選択画面で選択された画像ファイルは、制御回路２１６により判別され、当該画像ファイルのファイル名等は、制御回路２１６によってＲＯＭ２１７に記憶される。
【００４０】
ここで、始動画像とは、再生される音声ファイルごとに、当該音声ファイルの再生開始に伴って表示される画像を指す。また、終了画像とは、再生される音声ファイルごとに、当該音声ファイルの再生終了間近で表示される画像を指す。さらに、表示画像とは、始動画像および終了画像が設定されている場合には、当該始動画像と当該終了画像との間に表示される少なくとも１つの画像であり、始動画像および終了画像が設定されていない場合には、スライドショーで表示される少なくとも１つの画像を指す。
【００４１】
単位表示時間入力画面生成部２１４２５は、ＲＯＭ２１７に記憶されたテンプレート画像を基として、スライドショー実行時に表示される画像のうち、音声ファイルの再生終了間近で表示される画像を除いたそれぞれの画像の表示時間を入力させる画面を生成する。
表示効果選択画面生成部２１４２６は、ＲＯＭ２１７に記憶されたテンプレート画像を基として、スライドショー実行時に選択された画像を表示する際の表示効果を選択させる表示効果選択画面を生成する。このような表示効果としては、αブレンディングや、上方、下方、右方および左方へのスクロール等が挙げられる。なお、この表示効果選択画面で選択された表示効果の項目は、制御回路２１６により判別され、ＲＯＭ２１７に記憶される。
【００４２】
繰返し表示選択画面生成部２１４２７は、作成したスライドショーをスライドショー実行時に繰返し表示するか否かを選択させる画面を、ＲＯＭ２１７に記憶されたテンプレート画像を基として生成する。この生成された繰返し表示選択画面で、繰返し表示が選択された場合、使用者が停止操作を行わない限りスライドショーは繰返し実行される。
確認画面生成部２１４２８は、スライドショー作成時に、制御回路２１６から入力する制御信号に応じて、ＲＯＭ２１７に記憶されたテンプレート画像を基として確認画面を生成する。
【００４３】
画像情報処理部２１４３は、ファイルデコーダ２１２と合わせて、本発明の始動画像表示部、選択画像表示部、終了画像表示部に相当し、始動画像選択画面、終了画像選択画面および表示画像選択画面で選択され、スライドショー実行時に表示する画像の表示処理を行う。
この画像情報処理部２１４３は、表示効果反映部２１４３１、解像度調整部２１４３２および色調補正部２１４３３を機能的に備えている。
【００４４】
表示効果反映部２１４３１は、表示効果選択画面で選択されＲＯＭ２１７に記憶された表示効果の項目（後述するフラグＢ）を参照して、当該表示効果を反映させてファイルデコーダ２１２から入力する画像情報に基づく画像を表示する。
解像度調整部２１４３２は、入力する画像情報に基づく画像を拡大または縮小して、１画面内におさまるように当該画像の解像度を調整する。
色調補正部２１４３３は、入力する画像情報に基づく画像の画質を、使用者等により予め設定された色調等に補正する。
【００４５】
画像合成部２１４４は、描画処理部２１４２で形成された画像と、画像情報処理部２１４３で形成された画像とを合成し、当該合成した画像の画像情報を液晶駆動回路２１５に出力する。例えば、スライドショー実行時に表示される画像の外縁にフレームを表示するような場合に、描画処理部２１４２で形成したフレーム画像と、画像情報処理部２１４３で形成した画像とを合成する。なお、画像合成部２１４４による画像の合成は必ずしも行われるものではなく、画像の合成は、描画処理部２１４２および画像情報処理部２１４３のいずれかからの制御信号に応答して行われる。
【００４６】
図３は、制御回路２１６の機能分類を示すブロック図である。
制御回路２１６は、図１に示すように、システムコントローラ２１１、ファイルデコーダ２１２、音声処理回路２１３、画像処理回路２１４および液晶駆動回路２１５とバスＢｕを介して接続され、これらの動作を制御している。この制御回路２１６は、このような動作制御の他に、メモリカード４およびＨＤＤ２７に記憶された画像ファイルを用いたスライドショーの作成処理ＳＡおよび実行処理ＳＢを行う。
このような制御回路２１６は、図３に示すように、主制御部２１６１、詳細情報設定／読込部２１６２、再生リスト生成／読込部２１６３、ファイル読出指示部２１６４、映像形成指示部２１６５および音声出力指示部２１６６を機能的に備えている。
【００４７】
主制御部２１６１は、制御回路２１６の各処理部２１６２〜２１６６に制御信号を出力して、各処理部２１６２〜２１６６の動作を制御する。この他、主制御部２１６１は、スライドショー作成制御部２１６１１と、スライドショー実行制御部２１６１２とを備えている。
このうち、スライドショー作成制御部２１６１１は、スライドショー作成処理ＳＡの選択画面やその他のメニュー画面等における選択項目を検出し、当該選択項目に応じてスライドショー作成時の各処理部２１６２〜２１６６の動作制御を行う。
【００４８】
スライドショー実行制御部２１６１２は、スライドショー実行処理ＳＢにおいて、画像および音声の再生状態を監視するとともに、それぞれの画像および音声の表示／再生を制御する。具体的に、スライドショー実行制御部２１６１２は、所定の周波数のクロック信号を生成するクロック２１６１３と接続され、それぞれの画像の表示時間を監視して表示状態に応じて各処理部２１６２〜２１６６に制御信号を出力し、後述する再生リストに応じて画像を順次再生させる。
【００４９】
詳細情報設定／読込部２１６２は、スライドショー作成処理ＳＡにおいて、スライドショーを実行させるための各種設定情報を、主制御部２１６１のスライドショー作成制御部２１６１１からの制御信号に基づいて設定する。また、詳細情報設定／読込部２１６２は、スライドショー実行処理ＳＢにおいて、設定された詳細情報を読み込む処理を実行する。これら各種設定情報は、ＲＯＭ２１７に記憶される。このような詳細情報設定／読込部２１６２は、フラグＡ設定／読込部２１６２１、フラグＢ設定／読込部２１６２２、フラグＣ設定／読込部２１６２３、フラグＤ設定／読込部２１６２４、ポインタ設定／読込部２１６２５、単位表示時間設定／読込部２１６２６、総選択数設定／読込部２１６２７、始動画像設定／読込部２１６２８および終了画像設定／読込部２１６２９を機能的に備えている。
【００５０】
フラグＡ設定／読込部２１６２１は、スライドショー作成時に、スライドショー実行時に再生される各音声ファイルの再生開始時および再生終了間近で、使用者が選択した画像を表示するか否かを示すフラグＡをＲＯＭ２１７に記憶させる。また、このフラグＡ設定／読込部２１６２１は、スライドショー実行時に、ＲＯＭ２１７に記憶されたフラグＡの値を読み込む。
なお、本実施形態では、フラグＡは、「０」が音声ファイルの再生開始時および再生終了間近で所定の画像を表示するスライドショーを、また、「１」が表示しないスライドショーを示している。
【００５１】
フラグＢ設定／読込部２１６２２は、スライドショー作成時に、スライドショー実行時の画像の表示切替効果の種別を示すフラグＢを設定する。また、このフラグＢ設定／読込部２１６２２は、スライドショー実行時に、ＲＯＭ２１７に記憶されたフラグＢの値を読み込む。
このフラグＢは、スライドショー作成処理ＳＡにおいて表示される表示効果選択画面における選択結果が反映された値となる。なお、本実施形態では、フラグＢは、「０」が単に表示する画像を切り替えるモードを、「１」がαブレンディングにより画像を切り替えるモード、「２」がスクロールにより画像を切り替えるモードを示している。また、「２」の場合は、スクロールする方向も合わせて設定される。
【００５２】
フラグＣ設定／読込部２１６２３は、スライドショー作成時において、再生リストを生成する際に選択された画像をランダムに組み換えてリストを生成するか、ファイル名の順序等の所定の規則にしたがってリストを生成するかを示すフラグＣを設定する。また、フラグＣ設定／読込部２１６２３は、スライドショー作成時において、再生リストを生成する際に、ＲＯＭ２１７に記憶されたフラグＣを読み込む。
なお、本実施形態では、フラグＣは、「０」がランダム表示、「１」がファイル名の昇順の順次表示を示している。
【００５３】
フラグＤ設定／読込部２１６２４は、スライドショー作成時において、作成した再生リストのスライドショーを繰返し実行するか否かを示すフラグＤを設定する。また、フラグＤ設定／読込部２１６２４は、必要に応じて、ＲＯＭ２１７に記憶されたフラグＤを読み込む。
なお、本実施形態では、フラグＤは、「０」が繰返し表示を行わないことを示し、「１」が繰返し表示を行うことを示している。
【００５４】
ポインタ設定／読込部２１６２５は、スライドショー実行時において、次に表示する画像ファイルを示す画像ポインタＭ、および、次に再生する音声ファイルを示す音声ポインタＳの設定／読込処理を実行する。すなわち、スライドショー実行時には、画像ファイルに基づく画像が１つ表示されると、再生画像リストから次に表示する画像ファイルの順番を示す画像ポインタＭに「１」が加算され、音声ファイルが１つ再生されると、再生音声リストから次に再生する音声ファイルの順番を示す音声ポインタに「１」が加算される。
また、ポインタ設定／読込部２１６２５は、スライドショー実行時において、後述する表示カウンタＮおよび全表示フラグＬの設定等を行う。
なお、本実施形態では、画像ポインタＭおよび音声ポインタＳには次に表示／再生する画像／音声の再生番号が設定されるとしたが、表示／再生するファイル名としてもよい。
【００５５】
単位表示時間設定／読込部２１６２６は、スライドショー作成時に、スライドショー実行時の音声ファイルの再生終了間近で表示される画像を除いたそれぞれの画像を表示する時間を示す単位表示時間を設定する。また、単位表示時間設定／読込部２１６２６は、スライドショー実行時に、ＲＯＭ２１７に記憶された単位表示時間を読み込む。この単位表示時間は、スライドショー作成処理ＳＡにおける単位時間入力画面で入力された値とされる。
総選択数設定／読込部２１６２７は、スライドショー作成時に、表示画像選択画面で選択された画像の総数である総選択数をＲＯＭ２１７に記憶する。また、総選択数設定／読込部２１６２７は、スライドショー実行時に、当該総選択数を読み込む。
【００５６】
始動画像設定／読込部２１６２８および終了画像設定／読込部２１６２９は、フラグＡに「０」が設定された場合に、始動画像選択画面および終了画像選択画面で選択された始動画像および終了画像のファイル名およびパス等のファイル情報をＲＯＭ２１７に記憶する。また、始動画像設定／読込部２１６２８および終了画像設定／読込部２１６２９は、スライドショー実行時に、主制御部２１６１のスライドショー実行制御部２１６１２の制御下で、ＲＯＭ２１７を参照して、始動画像および終了画像のファイル情報を読み込む。
【００５７】
再生リスト生成／読込部２１６３は、スライドショー作成処理ＳＡにおいて、音声ファイル選択画面で選択された音声ファイルと、表示画像選択画面で選択された画像およびフラグＣの値とから、スライドショー実行時の音声ファイルの再生順を示す再生音声リスト、および、画像の表示順を示す再生画像リストを生成する。これら再生音声リストおよび再生画像リストは、ＲＯＭ２１７に記憶される。なお、再生音声リストは、選択された音声ファイルのファイル名、パスおよび再生時間等が再生順にリスト化されたものであり、また、再生画像リストは、選択された画像ファイルのファイル名およびパスが再生順にリスト化されたものである。
また、再生リスト生成／読込部２１６３は、スライドショー実行処理ＳＢにおいて、再生音声リストおよび再生画像リストを読み込んで、主制御部２１６１のスライドショー実行制御部２１６１２に当該リストのデータを出力する。
【００５８】
ファイル読出指示部２１６４は、スライドショー実行時に、システムコントローラ２１１に対して再生リストに応じたファイルの読み出しを指示する。具体的に、ファイル読出指示部２１６４は、スライドショー実行制御部２１６１２からの制御信号に応じて、再生リスト上の次に再生する音声ファイル、および、次に表示する画像ファイルのＨＤＤ２７またはメモリカード４からの読込みを指示する制御信号を、システムコントローラ２１１に出力する。当該制御信号が入力したシステムコントローラ２１１は、当該制御信号に含まれるファイル名およびパスから音声ファイルまたは画像ファイルをＨＤＤ２７またはメモリカード４から読み出して、ファイルデコーダ２１２に出力する。これにより、音声処理回路２１３および画像処理回路２１４で、再生リストに応じた音声出力および画像表示が行われる。
【００５９】
画像形成指示部２１６５および音声出力指示部２１６６は、主制御部２１６１からの制御信号に応じて、画像形成および音声出力を実行させる制御信号を、画像処理回路２１４および音声処理回路２１３に出力する。
具体的に、画像形成指示部２１６５は、主制御部２１６１からの制御信号に応じて、各選択画面を形成させる制御信号、および、ファイルデコーダ２１２から入力する画像情報に基づくスライドショーを実行させる制御信号を、画像処理回路２１４に出力する。
また、音声出力指示部２１６６は、同じく主制御部２１６１からの制御信号に応じて、ファイルデコーダから入力する音声情報に応じた音声出力を実行させる制御信号を出力する。
【００６０】
（３）スライドショー作成処理ＳＡ
スライドショー作成処理ＳＡは、使用者が選択した音声ファイルおよび画像ファイルからスライドショーを実行する再生リストを作成する処理である。このスライドショー作成処理ＳＡは、画面に表示されたソフトウェアキーから、「スライドショー作成開始キー」が入力された場合に、制御回路２１６によりＲＯＭ２１７からスライドショー作成プログラムが読み込まれることで実行される。
以下に、本実施形態のスライドショー作成処理ＳＡについて説明する。
【００６１】
図４〜図６は、スライドショー作成処理ＳＡの処理フローを示す図である。
スライドショー作成処理ＳＡでは、図４に示すように、使用者がスライドショー作成開始キーを入力すると（処理ＳＡ９０）、制御回路２１６のスライドショー作成制御部２１６１１が当該作成開始キーの入力を検出して、画像形成指示部２１６５を介して画像処理回路２１４に、使用者に音声ファイルを選択させる音声ファイル選択画面の生成信号を出力する。この生成信号が入力した画像処理回路２１４の信号検出部２１４１は、当該信号の入力に基づいて描画処理部２１４２の音声ファイル選択画面生成部２１４２１に制御信号を出力する。この音声ファイル選択画面生成部２１４２１は、システムコントローラ２１１を介してＨＤＤ２７およびメモリカード４を参照して、当該ＨＤＤ２７およびメモリカード４に記憶されている音声ファイルの情報を取得する（処理ＳＡ０１）。この後、音声ファイル選択画面生成部２１４２１は、取得した音声ファイルの情報、および、ＲＯＭ２１７に記憶された画像テンプレートに基づいて、スライドショー実行時に再生する音声ファイルを選択させる音声ファイル選択画面を生成する（音声ファイル選択ステップＳＡ０２）。
【００６２】
この音声ファイル選択画面にて、使用者が音声ファイルを選択すると（処理ＳＡ９１）、制御回路２１６のスライドショー作成制御部２１６１１は、選択された音声ファイルの情報を取得して、当該情報を再生リスト生成／読込部２１６３に出力する。そして、当該再生リスト生成／読込部２１６３は、入力する音声ファイルの情報を基に、スライドショー実行時に再生する音声ファイルのリストである再生音声リストを生成し、ＲＯＭ２１７に記憶する（処理ＳＡ０３）。なお、この再生音声リストは、使用者により設定された再生順に、音声ファイルのファイル名、パスおよび再生時間等が設定されて生成される。
【００６３】
処理ＳＡ０３の後、制御回路２１６のスライドショー作成制御部２１６１１は、画像形成指示部２１６５を介して、確認画面を生成する制御信号を画像処理回路２１４に出力する。画像処理回路２１４の信号検出部２１４１は、当該制御信号に応じた確認画面生成信号を描画処理部２１４２に出力し、当該描画処理部２１４２は、スライドショーにおける各音声ファイルの再生開始時および再生終了間近で表示される画像を指定するか否かを使用者に確認する確認画面を生成する（始動設定選択ステップおよび終了設定選択ステップＳＡ０４）。
この処理ＳＡ０４により、始動画像および終了画像を設定するか否かを選択することができるので、これらを設定する場合、および、設定しない場合のスライドショーを作成・実行することができ、使用者の選択範囲を広げることができるほか、スライドショーの効果を高めることができる。
【００６４】
この処理ＳＡ０４で生成される確認画面で選択された項目は、スライドショー作成制御部２１６１１で判定され（処理ＳＡ０５）、当該スライドショー作成制御部２１６１１は、詳細情報設定／読込部２１６２のフラグＡ設定／読込部２１６２１に、選択項目に応じた制御信号を出力する。そして、フラグＡ設定／読込部２１６２１は、入力する制御信号に応じて、ＲＯＭ２１７にフラグＡの値を記憶させる。具体的に、フラグＡ設定／読込部２１６２１は、画像を指定する項目が選択された場合には、フラグＡに「０」を設定し（処理ＳＡ０６）、画像を指定しない項目が選択された場合には、フラグＡに「１」を設定する（処理ＳＡ１１）。この処理ＳＡ１１の後、スライドショー作成制御部２１６１１は、処理ＳＡ１２に移行する。
【００６５】
一方、処理ＳＡ０６が実施された場合、制御回路２１６のスライドショー作成制御部２１６１１は、画像形成指示部２１６５を介して、使用者に始動画像を選択させる始動画像選択画面の生成信号を、画像処理回路２１４に出力する。当該生成信号が入力した画像処理回路２１４は、描画処理部２１４２の始動画像選択画面生成部２１４２２にて、ＨＤＤ２７およびメモリカード４に記憶されている画像ファイルの情報を取得し、ＲＯＭ２１７に記憶された画像テンプレートに基づいて始動画像選択画面を生成表示する（始動画像選択ステップＳＡ０７）。
この始動画像選択画面にて、使用者が始動画像となる１つの画像ファイルを選択すると（処理ＳＡ９２）、制御回路２１６のスライドショー作成制御部２１６１１は、当該画像ファイルを認識して、詳細情報設定／読込部２１６２の始動画像設定／読込部２１６２８により、当該画像ファイルのファイル名およびパスを始動画像の画像ファイルの情報として設定登録する（処理ＳＡ０８）。
【００６６】
この後、スライドショー作成制御部２１６１１は、画像形成指示部２１６５を介して、使用者に終了画像を選択させる終了画像選択画面の生成信号を、画像処理回路２１４に出力する。当該生成信号が入力した画像処理回路２１４の終了画像選択画面生成部２１４２３は、ＨＤＤ２７およびメモリカード４に記憶されている画像ファイルの情報を取得し、ＲＯＭ２１７に記憶された画像テンプレートに基づいて終了画像選択画面を生成表示する（終了画像選択ステップＳＡ０９）。
この終了画像選択画面にて、使用者が終了画像となる１つの画像ファイルを選択すると（処理ＳＡ９３）、制御回路２１６のスライドショー作成制御部２１６１１は、当該画像ファイルを認識して、詳細情報設定／読込部２１６２の終了画像設定／読込部２１６２９により、当該画像ファイルのファイル名およびパスを終了画像の画像ファイルの情報として設定登録する（処理ＳＡ１０）。
【００６７】
図５に示すように、処理ＳＡ１０および処理ＳＡ１１の後、スライドショー作成制御部２１６１１は、画像形成指示部２１６５を介して、使用者に始動画像および表示画像の表示時間とされる単位表示時間を入力させる単位表示時間入力画面の生成信号を、画像処理回路２１４に出力する。そして、画像処理回路２１４は、単位表示時間入力画面生成部２１４２５により、ＲＯＭ２１７の画像テンプレートを参照して単位表示時間入力画面を生成表示する（表示時間設定ステップＳＡ１２）。
この単位表示時間入力画面にて、使用者が単位表示時間を入力すると（処理ＳＡ９４）、スライドショー作成制御部２１６１１が、入力された値を取得し、当該値を単位表示時間として、単位表示時間設定／読込部２１６２６によりＲＯＭ２１７に設定登録する（処理ＳＡ１３）。
【００６８】
この処理ＳＡ１３の後、スライドショー作成制御部２１６１１は、使用者に画像の表示切替効果を選択させる表示切替効果選択画面の生成信号を、画像形成指示部２１６５を介して画像処理回路２１４に出力する。当該生成信号が入力した画像処理回路２１４は、表示効果選択画面生成部２１４２６により、ＲＯＭ２１７の画像テンプレートを参照して、表示切替効果選択画面を生成表示する（表示切替効果設定ステップＳＡ１４）。
この表示切替効果選択画面で、使用者が表示切替効果を選択すると（処理ＳＡ９５）、スライドショー作成制御部２１６１１は、当該選択項目を判定する（処理ＳＡ１５）。そして、表示切替効果の選択が行われなかった場合にはフラグＢに「０」が、表示切替効果としてαブレンディングが選択された場合にはフラグＢに「１」が、また、スクロールが選択された場合にはフラグＢに「２」が、それぞれフラグＢ設定／読込部２１６２２によりＲＯＭ２１７に記憶され設定される（それぞれ、処理ＳＡ１６、ＳＡ１７およびＳＡ１８）。
このように、画像を表示する際の表示切替効果を選択することができるので、単調な画像表示を防ぐことができ、音声再生とともに、一層使用者が飽きにくいスライドショーを構成することができる。
【００６９】
これら処理ＳＡ１６〜ＳＡ１８の後、スライドショー作成制御部２１６１１は、画像形成指示部２１６５を介して画像処理回路２１４に、ＨＤＤ２７およびメモリカード４に記憶されている画像ファイルのうち、始動画像および終了画像として選択した画像以外の全ての画像を表示画像とするか否かの確認画面の生成信号を出力する。そして、画像処理回路２１４の確認画面生成部２１４２８は、当該生成信号に応じた確認画面を、ＲＯＭ２１７の画像テンプレートを参照して生成表示する（処理ＳＡ１９）。
この確認画面で、使用者により項目の選択が行われると（処理ＳＡ９６）、スライドショー作成制御部２１６１１は、選択項目を判定する（処理ＳＡ２０）。
【００７０】
この処理ＳＡ２０において、必ずしも全ての画像ファイルを表示画像としない項目が選択されたと判定された場合には、スライドショー作成制御部２１６１１は、画像形成指示部２１６５を介して画像処理回路２１４に、表示画像とする画像の画像ファイルを選択させる表示画像選択画面を生成する（表示画像選択ステップＳＡ２１）。この表示画像選択画面は、ＨＤＤ２７およびメモリカード４に記憶された画像ファイルのうち、始動画像および終了画像に設定された画像ファイルを除いた画像ファイルのサムネイルおよびファイル名を表示して、当該表示された画像ファイルから表示画像とする画像を少なくとも１つ選択させる画面とされている。
【００７１】
この表示画像選択画面にて、使用者が表示画像とする画像ファイルを選択すると（処理ＳＡ９７）、スライドショー作成制御部２１６１１は、再生リスト生成／読込部２１６３に、選択された画像ファイルのファイル名およびパス等を関連付けてＲＡＭ２１８に一時的に保存させる（処理ＳＡ２２）。
一方、処理ＳＡ２０において、全ての画像ファイルを表示画像とする項目が選択されたと判定された場合には、スライドショー作成制御部２１６１１は、再生リスト生成／読込部２１６３に、始動画像および終了画像に設定された画像ファイルを除く全ての画像ファイルのファイル名およびパス等を関連付けてＲＡＭ２１８に一時的に保存させる（表示画像選択ステップＳＡ２３）。
【００７２】
処理ＳＡ２２および処理ＳＡ２３の後、スライドショー作成制御部２１６１１は、総選択数設定／読込部２１６２７に制御信号を出力し、当該総選択数設定／読込部２１６２７は、ＲＡＭ２１８に表示画像の画像ファイルとして一時的に保存されたファイル名から、選択された表示画像の総数を取得して、当該総数を総選択数としてＲＯＭ２１７に設定保存する（処理ＳＡ２４）。
【００７３】
この後、スライドショー作成制御部２１６１１は、画像形成指示部２１６５を介して画像処理回路２１４に、選択された表示画像をランダムに表示するランダム表示か、または、ファイル名の昇順に表示する順次表示かのどちらの表示形式で表示するかの確認画面の生成信号を出力する。そして、画像処理回路２１４の確認画面生成部２１４２８は、当該生成信号に応じた確認画面を、ＲＯＭ２１７の画像テンプレートを参照して生成表示する（表示形式設定ステップＳＡ２５）。
このように、選択した画像の表示形式を、ランダム表示または順次表表示のいずれかから選択することができるので、表示画像の表示順を使用者が設定する手間を軽減することができる。
この確認画面において、使用者が項目を選択すると（処理ＳＡ９８）、スライドショー作成制御部２１６１１は、ランダム表示および順次表示のいずれであるかを判定する（処理ＳＡ２６）。
【００７４】
この処理ＳＡ２６において、ランダム表示が選択されたと判定されると、スライドショー作成制御部２１６１１は、フラグＣ設定／読込部２１６２３により、フラグＣの値を「０」としてＲＯＭ２１７に記憶設定させる（処理ＳＡ２７）。この後、スライドショー作成制御部２１６１１は、ＲＡＭ２１８に記憶された表示画像としての画像ファイルの情報をランダムに並び替える（処理ＳＡ２８）。
また、処理ＳＡ２６において、順次表示が選択されたと判定されると、スライドショー作成制御部２１６１１は、フラグＣ設定／読込部２１６２３により、フラグＣの値を「１」としてＲＯＭ２１７に記憶設定させる（処理ＳＡ２９）。この後、スライドショー作成制御部２１６１１は、ＲＡＭ２１８に記憶された表示画像としての画像ファイルの情報を、画像ファイル名の昇順に並び替える（処理ＳＡ３０）。
【００７５】
この処理ＳＡ２８または処理ＳＡ３０の後、スライドショー作成制御部２１６１１は、再生リスト生成／読込部２１６３に再生画像リスト生成信号を出力し、当該信号が入力した再生リスト生成／読込部２１６３は、ＲＡＭ２１８に記憶保存されていた画像ファイルのファイル名およびパス等の情報から、当該ＲＡＭ２１８での順番の通りに再生画像リストを生成する（処理ＳＡ３１）。これにより、表示形式としてランダム表示が選択されている場合には、処理ＳＡ２８でランダムに並び替えが行われた後の順番の再生画像リストが生成され、表示形式として順次表示が選択されている場合には、処理ＳＡ３０で画像ファイル名の昇順に並び替えが行われた後の順番の再生画像リストが生成される。
【００７６】
処理ＳＡ３１の後、スライドショー作成制御部２１６１１は、画像形成指示部２１６５を介して画像処理回路２１４に、スライドショーを繰返し実行するか否かを選択させる選択画面の生成信号を出力する。そして、画像処理回路２１４の繰返し表示選択画面生成部２１４２７は、当該生成信号が入力すると、ＲＯＭ２１７に記憶された画像テンプレートを参照して、当該繰返し表示選択画面を生成表示する（処理ＳＡ３２）。
【００７７】
この繰返し表示選択画面にて、使用者が繰返し表示を行う旨の項目、または、行わない項目を選択すると（処理ＳＡ９９）、スライドショー作成制御部２１６１１は、詳細情報設定／読込部２１６２のフラグＤ設定／読込部２１６２７に、選択された項目に応じた値をフラグＤとしてＲＯＭ２１７に記憶させる。
すなわち、スライドショー作成制御部２１６１１は、処理ＳＡ９９による使用者の項目選択操作から、どの項目が選択されたかを判定する（処理ＳＡ３３）。そして、繰返し表示を行わない旨の項目が選択されたと判定した場合、スライドショー作成制御部２１６１１は、フラグＤ設定／読込部２１６２７に、フラグＤの値として「０」を設定登録させる（処理ＳＡ３４）。一方、繰返し表示を行う旨の項目が選択されたと判定した場合、スライドショー作成制御部２１６１１は、フラグＤ設定／読込部２１６２７に、フラグＤの値として「１」を設定登録させる（処理ＳＡ３５）。
この処理ＳＡ３４またはＳＡ３５の終了とともに、スライドショー作成処理ＳＡは終了する。
【００７８】
（４）スライドショー実行処理ＳＢ
スライドショー実行処理ＳＢは、前述のスライドショー作成処理ＳＡにて生成された再生音声リストおよび再生画像リストに基づいて、設定された画像のスライドショーを実行する処理である。このスライドショー実行処理ＳＢは、画面に表示されたソフトウェアキーから、「スライドショー実行キー」が入力された場合に、制御回路２１６によりＲＯＭ２１７からスライドショー実行プログラムおよび再生リストが読み込まれて実行される。
以下に、本実施形態のスライドショー実行処理ＳＢについて説明する。
【００７９】
図７〜図９は、スライドショー実行処理ＳＢの処理フローを示す図である。
スライドショー実行処理ＳＢでは、図７に示すように、使用者がスライドショー実行キーを入力すると（処理ＳＢ９０）、まず、制御回路２１６の主制御部２１６１を構成するスライドショー実行制御部２１６１２が、当該実行キーの入力を検出する。そして、当該スライドショー実行制御部２１６１２は、ポインタ設定／読込部２１６２５により、画像ポインタＭ、音声ポインタＳおよび全表示フラグＬに初期値を設定させる（処理ＳＢ０１）。具体的には、ポインタ設定／読込部２１６２５は、画像ポインタＭに「１」を、音声ポインタＳに「１」を、そして、全表示フラグＬに「０」を設定する。
【００８０】
ここで、画像ポインタＭは、前述のように、再生画像リストでの次に表示すべき画像ファイルの再生順の番号を示すものであり、音声ポインタＳは、再生音声リストでの次に再生すべき音声ファイルの再生順の番号を示すものである。
また、全表示フラグＬは、スライドショー表示を終了すべきか否かを示すフラグであり、繰返し表示を行わないスライドショーの実行時に、再生画像リストに登録された全ての表示画像が表示された場合に「１」が設定され、それ以外の場合に「０」が設定される。
これら画像ポインタＭ、音声ポインタＳおよび全表示フラグＬは、ＲＡＭ２１８に記憶される。
【００８１】
この処理ＳＢ０１の後、スライドショー実行制御部２１６１２は、ポインタ設定／読込部２１６２５により、表示カウンタＮを初期値に、具体的には「１」に設定する（処理ＳＢ０２）。この表示カウンタＮは、再生中の音声ファイルの再生開始時から表示された画像ファイルのファイル数に「１」が加算された値を示すものであり、当該値はＲＡＭ２１８に記憶される。
この後、スライドショー実行制御部２１６１２は、ポインタ設定／読込部２１６２５により音声ポインタＳの値を取得して、ファイル読出指示部２１６４を介して、当該音声ポインタＳが指定する再生音声リストの音声ファイルを読み込ませる制御信号をシステムコントローラ２１１に出力する。また、スライドショー実行制御部２１６１２は、音声出力指示部２１６６を介して音声処理回路２１３に、ファイルデコーダ２１２から入力する音声情報に応じた音声を出力させる制御信号を出力する。このため、音声ポインタＳで指定された再生音声リスト上の音声ファイルが、システムコントローラ２１１によって読み込まれ、当該音声ファイルのデータがファイルデコーダ２１２に出力されてデコードされた後、音声処理回路２１３に入力する。そして、当該音声処理回路２１３は、入力する音声情報に応じた音声信号を生成して、スピーカ２３に出力する。これにより、音声ポインタＳで指定された再生音声リスト上の音声ファイルが再生される（音声再生ステップＳＢ０３）。
【００８２】
この後、スライドショー実行制御部２１６１２は、再生リスト生成／読込部２１６３により、現在再生中の音声ファイルの再生時間を取得して、ＲＡＭ２１８に一時的に保存する（音声再生時間取得ステップＳＢ０４）。そして、スライドショー実行制御部２１６１２は、フラグＡ設定／読込部２１６２１を介して読み込んだフラグＡの値を判定する（処理ＳＢ０５）。
ここで、フラグＡの値が、音声ファイルの再生開始時および再生終了間近で始動画像および終了画像を表示しない設定を示す「１」であると判定した場合には、スライドショー実行制御部２１６１２は、処理ＳＢ０９（図８参照）に移行する。
【００８３】
一方、フラグＡの値が、音声ファイルの再生開始時および再生終了間近で始動画像および終了画像を表示する設定を示す「０」であると判定した場合には、スライドショー実行制御部２１６１２は、画像処理回路２１４に、始動画像として設定された画像ファイルに基づく画像を形成表示させる（始動画像表示ステップＳＢ０６）。
具体的に、スライドショー実行制御部２１６１２は、始動画像設定／読込部２１６２８によりＲＯＭ２１７に記憶設定された始動画像のファイル名およびパスを取得して、当該ファイル名およびパスとともに、ファイル読出信号をファイル読出指示部２１６４を介してシステムコントローラ２１１に出力する。また、スライドショー実行制御部２１６１２は、画像形成指示部２１６５を介して画像処理回路２１４に、ファイルデコーダ２１２から入力する画像情報に基づく画像を形成表示する制御信号を出力する。
【００８４】
これにより、始動画像の画像ファイルがシステムコントローラ２１１によりＨＤＤ２７またはメモリカード４から読み出され、当該システムコントローラ２１１からファイルデコーダ２１２を介して当該画像ファイルの情報が画像処理回路２１４に出力される。この画像処理回路２１４の画像情報処理部２１４３は、制御回路２１６からの制御信号により、入力する始動画像の画像ファイルに応じた画像形成が指示されている。このようにして、音声ファイルの再生開始時に始動画像が表示される。
【００８５】
処理ＳＢ０６による始動画像の表示の後、スライドショー実行制御部２１６１２は、ポインタ設定／読込部２１６２５により、表示カウンタＮに「１」を加算するとともに（処理ＳＢ０７）、単位表示時間設定／読込部２１６２６によりＲＯＭ２１７から取得した単位表示時間の分だけ処理を待機する（処理ＳＢ０８）。
【００８６】
処理ＳＢ０８の後、および、処理ＳＢ０５でフラグＡの値が「１」であると判定された後、スライドショー実行制御部２１６１２は、画像処理回路２１４に、画像ポインタＭで指定された表示画像としての画像ファイルに基づく画像を形成表示させる（選択画像表示ステップＳＢ０９）。
具体的には、スライドショー実行制御部２１６１２は、ポインタ設定／読込部２１６２５により取得した画像ポインタＭが指定する再生画像リスト上の画像ファイルのファイル名およびパスを取得して、当該ファイル名およびパスの画像ファイルを読み出す制御信号をファイル読出指示部２１６４を介してシステムコントローラ２１１に出力する。また、スライドショー実行制御部２１６１２は、画像形成指示部２１６５を介して画像処理回路２１４に、入力する画像情報に応じた画像形成を行わせる制御信号を出力する。
【００８７】
制御回路２１６からの制御信号が入力した画像処理回路２１４は、ファイルデコーダ２１２から入力する表示画像の画像情報に基づく画像を形成する。
ここで、画像処理回路２１４の表示効果反映部２１４３１は、ＲＯＭ２１７に記憶されたフラグＢの値を参照して、当該フラグＢが示す表示切替効果を反映した画像を形成する。また、色調補正部２１４３３は、制御回路２１６から入力する制御信号に含まれる色調補正信号に応じた画像補正を実行するとともに、解像度調整部２１４３２は、入力する画像情報に基づく画像の解像度を調整して、１画面単位に表示可能な解像度に変更する。
これにより、再生画像リストにおいて画像ポインタＭで指定され、表示切替効果が反映された画像が形成される。従って、単調な表示切替ではなく、使用者に飽きさせにくい演出を行うことができる。
【００８８】
ここで、スライドショー実行制御部２１６１２は、システムコントローラ２１１を介して入力する制御信号から、使用者によりスライドショーの終了操作が行われたか否かを判定する（処理ＳＢ１０）。
ここで、スライドショーの終了操作が行われたと判定した場合、スライドショー実行制御部２１６１２は、後述する処理ＳＢ３２に移行する。
一方、終了操作が行われなかったと判定した場合、スライドショー実行制御部２１６１２は、単位表示時間設定／読込部２１６２６により取得した単位表示時間の分だけ次の画像形成処理を待機する（処理ＳＢ１１）。
この後、スライドショー実行制御部２１６１２は、表示カウンタＮに「１」を加算し、また、画像ポインタＭに「１」を加算する（処理ＳＢ１２）。
【００８９】
処理ＳＢ１２の後、スライドショー実行制御部２１６１２は、以下の条件式１が成立するか否かを判定する（処理ＳＢ１３）。すなわち、既に再生画像リストに登録された画像ファイルが全て表示され、次に表示すべき画像ファイルが再生画像リスト上にない状態であるか否かを判定する。
Ｍ  ＞  総選択画像ファイル数        …（条件式１）
ここで、上記条件式１が成立しない場合、スライドショー実行制御部２１６１２は、まだ表示されていない画像ファイルが再生リストに登録されていると見做して処理ＳＢ１７に移行する。
一方、上記条件式１が成立する場合、スライドショー実行制御部２１６１２は、画像ポインタＭに「１」を設定し、画像ポインタＭを再生画像リスト上の最初に戻す（処理ＳＢ１４）。
【００９０】
処理ＳＢ１４の後、スライドショー実行制御部２１６１２は、前述のスライドショー作成処理ＳＡで設定されＲＯＭ２１７に記憶されたフラグＤを、フラグＤ設定／読込部２１６２４を介して読み込んで、当該フラグＤの値を判定する（処理ＳＢ１５）。
ここで、フラグＤの値が、繰返し表示を行うことを示す値「１」である場合、スライドショー実行制御部２１６１２は、処理ＳＢ０１で設定された全表示フラグＬの値「０」を維持し、処理ＳＢ１７に移行する。
一方、フラグＤの値が、繰返し表示を行わないことを示す値「０」である場合、スライドショー実行制御部２１６１２は、全表示フラグＬに、選択された表示画像が全て表示されスライドショー表示を終了することを示す値「１」を設定し（処理ＳＢ１６）、処理ＳＢ１７に移行する。
【００９１】
この後、スライドショー実行制御部２１６１２は、以下の条件式２が成立するか否かを判定する（時間判定ステップＳＢ１７）。
Ｎ×単位表示時間≧再生中の音声ファイルの再生時間        …（条件式２）
ここで、上記条件式２が成立しない場合、スライドショー実行制御部２１６１２は、再生画像リスト上の次の画像ファイルに基づく画像を表示させた場合でも、再生中の音声ファイルが終了しないとみなして、処理ＳＢ０９に戻り、再生画像リスト上の画像ポインタＭが指定する画像ファイルに基づく画像を表示する。
なお、処理ＳＢ１４で画像ポインタＭの値が「１」に設定された場合は、再生画像リストに登録された最初の画像ファイルに基づく画像が表示される。
これにより、設定された再生画像リスト上の画像ファイルが、設定された再生音声リスト上の音声ファイルの再生よりも先に表示し終わった場合でも、画像表示を継続させることができる。
【００９２】
一方、上記条件式２が成立する場合、スライドショー実行制御部２１６１２は、再生画像リスト上の次の画像ファイルに基づく画像を表示した場合、単位表示時間分の表示終了前に再生中の音声ファイルが終了するとみなして、処理ＳＢ１８に移行する。
すなわち、上記条件式２が成立すると判定した場合、スライドショー実行制御部２１６１２は、図９に示すように、再びフラグＡの値を判定する（処理ＳＢ１８）。
ここで、フラグＡの値が「０」であると判定した場合、スライドショー実行制御部２１６１２は、画像処理回路２１４に終了画像を形成表示させる（終了画像表示ステップＳＢ１９）。
【００９３】
具体的には、スライドショー実行制御部２１６１２は、終了画像設定／読込部２１６２９により読み出した終了画像のファイル名およびパスを含むファイル読出信号を、ファイル読出指示部２１６４を介してシステムコントローラ２１１に出力する。また、スライドショー実行制御部２１６１２は、画像形成指示部２１６５を介して画像処理回路２１４に、入力する画像情報に応じた画像の形成信号を出力する。
これにより、フラグＡの値に応じて、音声ファイルの再生終了間近で、設定した終了画像を表示することができる。
この処理ＳＢ１９の後、スライドショー実行制御部２１６１２は、処理ＳＢ２２に移行する。
【００９４】
一方、フラグＡの値が「１」であると判定した場合、スライドショー実行制御部２１６１２は、処理ＳＢ０９と同様に、画像処理回路２１４に、再生画像リスト上の画像ポインタＭが指定する画像ファイルに基づく画像を表示させ（処理ＳＢ２０）、ポインタ設定／読込部２１６２５に、画像ポインタＭに「１」を加算させる（処理ＳＢ２１）。この後、スライドショー実行制御部２１６１２は、処理ＳＢ２２に移行する。
【００９５】
処理ＳＢ１９または処理ＳＢ２１の後、スライドショー実行制御部２１６１２は、上記条件式１が成立するか否かを再度判定する（処理ＳＢ２２）。この判定処理ＳＢ２２では、処理ＳＢ２０で表示された画像ファイルが、再生画像リストでの最後に表示すべき画像ファイルであるか否かを判定している。
ここで、上記条件式１が成立しない場合、スライドショー実行制御部２１６１２は、処理ＳＢ２６に移行する。
【００９６】
また、上記条件式１が成立する場合、スライドショー実行制御部２１６１２は、処理ＳＢ１４〜ＳＢ１６と同様の処理を実行する。すなわち、スライドショー実行制御部２１６１２は、画像ポインタＭに「１」を設定（処理ＳＢ２３）した後、フラグＤ設定／読込部２１６２４により読み込んだフラグＤの値を判定する（処理ＳＢ２４）。
ここで、フラグＤの値が繰返し表示を行う値「１」であると判定した場合、スライドショー実行制御部２１６１２は、処理ＳＢ０１で設定した全表示フラグＬの値「０」を維持しつつ処理ＳＢ２６に移行する。
一方、フラグＤの値が繰返し表示を行わない値「０」であると判定した場合、スライドショー実行制御部２１６１２は、全表示フラグＬの値を「１」に設定して（処理ＳＢ２５）、処理ＳＢ２６に移行する。
【００９７】
この後、スライドショー実行制御部２１６１２は、処理ＳＢ１９または処理ＳＢ２１による画像表示を継続した状態で、再生中の音声ファイルの再生が終了するまで待機する（処理ＳＢ２６）。
この後、スライドショー実行制御部２１６１２は、再生リスト生成／読込部２１６３から取得した再生音声リストを参照して、当該再生音声リストに音声ファイルが複数登録されているか否かを判定する（処理ＳＢ２７）。
【００９８】
ここで、複数の音声ファイルが登録されていないと判定した場合、スライドショー実行制御部２１６１２は、処理ＳＢ３１に移行する。
一方、複数の音声ファイルが登録されていると判定した場合、スライドショー実行制御部２１６１２は、音声ポインタＳに「１」を加算し（処理ＳＢ２８）、以下の条件式３が成立するか否かを判定する（処理ＳＢ２９）。
Ｓ  ＞  再生リスト上の登録音声ファイル数        …（条件式３）
この処理ＳＢ２９において、上記条件式３が成立しないと判定した場合、スライドショー実行制御部２１６１２は、処理ＳＢ０２（図７参照）に戻り、表示カウンタＮを「１」に設定した後、更新された音声ポインタＳが指定する再生音声リスト上の音声ファイルを再生する。
また、処理ＳＢ２９において、上記条件式３が成立すると判定した場合、音声ポインタＳに「１」を設定（処理ＳＢ３０）した後、判定処理ＳＢ３１を実行する。
【００９９】
処理ＳＢ３１では、全表示フラグＬの値を判定する（処理ＳＢ３１）。
すなわち、全表示フラグＬの値が、繰返し表示を行わない設定で再生画像リストに登録されている画像ファイルが全て表示されたことを示す値「１」でない場合、スライドショー実行制御部２１６１２は、処理ＳＢ０２（図７参照）に戻り、表示カウンタＮを「１」に設定した後、更新された音声ポインタＳが指定する再生音声リスト上の音声ファイルを再生する。これにより、スライドショーが継続して実行されることとなり、スライドショーを停止させる必要がない時に、使用者が再度スライドショーを実行する手間を省くことができる。
一方、全表示フラグＬの値が、「１」である場合、スライドショー実行制御部２１６１２は、既に音声ファイルの再生は終了しているので、処理ＳＢ３３に移行する。
【０１００】
処理ＳＢ３２および処理ＳＢ３３では、実行中のスライドショーの停止処理を行う。
具体的に、処理ＳＢ３２では、音声ファイルの再生を停止する（処理ＳＢ３２）。また、処理ＳＢ３３では、表示中の画像を非表示にする（処理ＳＢ３３）。
以上により、スライドショー実行処理ＳＢが終了する。
これにより、再生画像リストに登録された画像を全て表示させた上で、再生音声リストに登録された音声ファイルの終了とともにスライドショーを終了することができる。
【０１０１】
なお、前述のスライドショー作成処理ＳＡおよびスライドショー実行処理ＳＢは、ＲＯＭ２１７に記憶されたスライドショー作成プログラムおよびスライドショー実行プログラムを制御回路２１６が処理することで実行されるとしたが、これらプログラムをＨＤＤ２７またはメモリカード４に記憶させ、当該ＨＤＤ２７またはメモリカード４から読み込むことで実行するようにしてもよい。その他、これらプログラムを記録媒体に記録し、当該記録媒体から読み込むことで、当該プログラムを実行する構成としてもよい。
【０１０２】
以上のような、本実施形態のスライドショー作成処理ＳＡおよびスライドショー実行処理ＳＢを実行する画像表示装置１により、以下の効果を奏することができる。
フラグＡに「０」が設定されている場合、すなわち、選択された音声ファイルの再生開始時および再生終了間近で、始動画像および終了画像が必ず表示されることとなるので、スライドショーを実行する際に再生される音声ファイルの区切りに合わせて、使用者が設定した始動画像および終了画像を表示することができる。従って、スライドショーのタイトル、企業ロゴおよび曲名等を音声ファイルの区切りに応じて表示することができ、また、このようなスライドショーを簡易に作成することができる。
【０１０３】
また、フラグＡに「０」が設定されている場合、音声ファイルの再生が開始されてから表示された画像数に「１」を加算した値に単位表示時間を乗算して得た値が、当該音声ファイルの再生時間以上となる場合に、終了画像が表示される。これによれば、音声ファイルの再生終了間近を確実に判定することができるとともに、選択された表示画像の単位表示時間の表示を妨げることなく終了画像を表示することができる。従って、終了画像の表示時間を確保して、当該終了画像を確実に表示することができる。
【０１０４】
さらに、複数の音声ファイルが選択されている場合でも、画像ポインタＭの値が、再生画像リストに登録された画像ファイル数を越えない限り初期化されないので、再生画像リストに登録された画像ファイルのうち、次に表示する画像ファイルを確実に指定することができる。従って、再生画像リストに登録され、スライドショー実行時に表示される画像を確実に表示することができる。
【０１０５】
（５）実施形態の変形
本発明を実施するための最良の構成などは、以上の記載で開示されているが、本発明はこれに限定されるものではない。すなわち、上記に開示した形状、材質などを限定した記載は、本発明の理解を容易にするために例示的に記載したものであり、本発明を限定するものではない
【０１０６】
前記実施形態では、条件式２は、上記のような式としたが、条件式２に代わって以下の条件式４を採用してもよい。
（Ｎ＋１）×単位表示時間≧再生中の音声ファイルの再生時間        …（条件式４）
上記条件式４を採用すれば、各音声ファイルの再生終了間近に表示される画像を、単位表示時間以上表示することができる。
【０１０７】
前記実施形態では、スライドショー作成処理ＳＡにおいて、始動画像および終了画像を選択した後に、表示画像を選択したが、本発明はこれに限らず、始動画像および終了画像の選択の前に、表示画像を選択するようにしてもよい。
また、前記実施形態では、表示画像を選択する前に単位表示時間の入力および表示切替効果の選択を行うようにしたが、本発明はこれに限らず、表示画像を選択した後に行うようにしてもよい。
【０１０８】
前記実施形態では、画像表示装置として、液晶パネルを有する画像表示部を備えた液晶ディスプレイを挙げたが、本発明はこれに限らない。すなわち、他の構成の画像表示部を備えた画像表示装置に本発明を採用してもよい。このような画像表示装置として、例えば、プラズマディスプレイ、ＣＲＴ（Cathode-Ray Tube）ディスプレイ、プロジェクタ等を挙げることができる。
また、プロジェクタとしては、スクリーンを観察する方向から投射を行なうフロントタイプのプロジェクタだけでなく、スクリーンを観察する方向とは反対側から投射を行なうリアタイプのプロジェクタにも適用可能である。
さらに、このようなプロジェクタは、光源からの光束を画像情報に応じて変調して光学像を形成する光変調装置を備えた構成としてもよい。このような光変調装置として、液晶パネル、ＩＬＡ（Image Light Amplifier）素子を用いたデバイス、ＤＭＤ（Digital Micromirror Device）およびＧＬＶ（Grating Light Valve）等を例示することができる。また、光変調装置を設けずに、画像情報に応じてレーザ光を射出するレーザ発振器と、当該レーザ発振器から射出されたレーザ光でスクリーンの縦方向および横方向に走査させて画像を形成する２つのカルバノミラーとを備えたレーザプロジェクタに、本発明を採用してもよい。
【産業上の利用可能性】
【０１０９】
本発明は、スライドショーを実行可能な画像表示装置に好適に利用できる他、スライドショーを実行して、当該スライドショーに係る画像を画像表示装置に出力する画像出力装置、および、当該画像出力装置で実行されるプログラムにも利用することができる。
【図面の簡単な説明】
【０１１０】
【図１】本発明の一実施形態に係る画像表示装置の構成を示すブロック図。
【図２】前記実施形態における画像処理回路の機能分類を示すブロック図。
【図３】前記実施形態における制御回路の機能分類を示すブロック図。
【図４】前記実施形態におけるスライドショー作成処理の処理フローを示す図。
【図５】前記実施形態におけるスライドショー作成処理の処理フローを示す図。
【図６】前記実施形態におけるスライドショー作成処理の処理フローを示す図。
【図７】前記実施形態におけるスライドショー実行処理の処理フローを示す図。
【図８】前記実施形態におけるスライドショー実行処理の処理フローを示す図。
【図９】前記実施形態におけるスライドショー実行処理の処理フローを示す図。
【符号の説明】
【０１１１】
１…画像表示装置、２１…制御基板（制御手段）、２２…画像表示部（画像表示手段）、２３…スピーカ（音声出力手段）、４…メモリカード（画像ファイル記憶手段、音声ファイル記憶手段）、２６…カードスロット（画像ファイル記憶手段、音声ファイル記憶手段）、２７…ＨＤＤ（画像ファイル記憶手段、音声ファイル記憶手段）、２１２…ファイルデコーダ（音声再生部、始動画像表示部、選択画像表示部、終了画像表示部）、２１３…音声処理回路（音声再生部）、２１４３…画像情報処理部（始動画像表示部、選択画像表示部、終了画像表示部）、２１４２１…音声ファイル選択画面生成部（音声ファイル選択部）、２１４２２…始動画像選択画面生成部（始動画像選択部）、２１４２３…終了画像選択画面生成部（終了画像選択部）、２１４２４…表示画像選択画面生成部（表示画像選択部）、ＳＡ…スライドショー作成処理（画像表示方法）、ＳＡ０２…音声ファイル選択ステップ、ＳＡ０４…始動設定選択ステップおよび終了設定選択ステップ、ＳＡ０７…始動画像選択ステップ、ＳＡ０９…終了画像選択ステップ、ＳＡ１２…表示時間設定ステップ、ＳＡ１４…表示切替効果設定ステップ、ＳＡ２１，ＳＡ２３…表示画像選択ステップ、ＳＡ２５…表示形式設定ステップ、ＳＢ…スライドショー実行処理（画像表示方法）、ＳＢ０３…音声再生ステップ、ＳＢ０４…音声再生時間取得ステップ、ＳＢ０６…始動画像表示ステップ、ＳＢ０９…選択画像表示ステップ、ＳＢ１７…時間判定ステップ、ＳＢ１９…終了画像表示ステップ。
【図１】
2006343986.tif 000003
【図２】
2006343986.tif 000004
【図３】
2006343986.tif 000005
【図４】
2006343986.tif 000006
【図５】
2006343986.tif 000007
【図６】
2006343986.tif 000008
【図７】
2006343986.tif 000009
【図８】
2006343986.tif 000010
【図９】
2006343986.tif 000011